(57)【要約】      （修正有）【課題】操作上便利で、そのマッサージ輪ユニットを便利に取り外して清浄にすることができ、しかも、マッサージと痩身の効果を奏することができる電動マッサージ器を提供する。【解決手段】ギヤボックスと、モータと、印刷回路基板とが設けられる収容室を形成するフロントカバーと、バックカバーと、下カバーとを備える。モータは、ギヤボックスに接続される伝動ギヤを駆動し、印刷回路基板は、モータに電気的に接続され、フロントカバーと、バックカバーと、下カバーとによって形成された収容室の下端には、マッサージ輪ユニットが設けられ、伝動ギヤには、下端がコネクタ構造である伝動軸が設けられ、マッサージ輪ユニットには、伝動軸の下端が嵌め込まれて接合している。【選択図】図１
0003171784.tif 000002
【実用新案登録請求の範囲】
【請求項１】
ギヤボックス（４）と、モータ（５）と、印刷回路基板（７）とが設けられる収容室を形成するフロントカバー（１）と、バックカバー（２）と、下カバー（３）とを備え、モータ（５）は、ギヤボックス（４）に接続される伝動ギヤ（４１）を駆動し、印刷回路基板（７）は、モータ（５）に電気的に接続され、前記フロントカバー（１）と、バックカバー（２）と、下カバー（３）とによって形成された収容室の下端には、マッサージ輪ユニット（６）が設けられている改良済み電動マッサージ器において、前記伝動ギヤ（４１）には、下端がコネクタ構造である伝動軸（４１１）が設けられ、マッサージ輪ユニット（６）には、伝動軸（４１１）の下端が嵌め込まれて接合していることを特徴とする改良済み電動マッサージ器。
【請求項２】
前記マッサージ輪ユニット（６）には、伝動軸（４１１）の下端が嵌め込まれて接合しているマッサージ輪ブラケット（６２）が設けられていることを特徴とする請求項１に記載の改良済み電動マッサージ器。
【請求項３】
前記マッサージ輪ユニット（６）は、少なくとも３セットのマッサージ輪モジュールを備え、各セットのマッサージ輪モジュールは、マッサージ輪ブラケット軸（６４）と、袋ナット（６５）と、少なくとも１つのマッサージ輪（６１）とを備え、マッサージ輪（６１）内には、内輪（６３）が設けられ、マッサージ輪ブラケット軸（６４）は、内輪（６３）に挿入し、袋ナット（６５）のねじ山は、マッサージ輪ブラケット軸（６４）の一端にロッキングされ、マッサージ輪ブラケット軸（６４）の他端は、マッサージ輪ブラケット（６２）に接続されていることを特徴とする請求項２に記載の改良済み電動マッサージ器。
【請求項４】
前記マッサージ輪（６１）が、ギヤ型、円柱型又は球型の形状であることを特徴とする請求項３に記載の改良済み電動マッサージ器。
【請求項５】
前記マッサージ輪（６１）の上に、凸粒（６１１）が設けられていることを特徴とする請求項３に記載の改良済み電動マッサージ器。
【請求項６】
前記フロントカバー（１）には、印刷回路基板（７）に電気的に接続されるスイッチボタン（１１）が設けられていることを特徴とする請求項１〜５のいずれか１項に記載の改良済み電動マッサージ器。
【請求項７】
フロントカバー（１）の両側には、サイドカバー（１０）が設けられていることを特徴とする請求項６に記載の改良済み電動マッサージ器。
【考案の詳細な説明】
【技術分野】
【０００１】
本考案は、マッサージ器に関し、特に、改良済み電動マッサージ器に関する。
【背景技術】
【０００２】
現在、多様な用途に用いるマッサージ器が多種的に市販されており、マッサージ器のマッサージ方法も様々であり、例えば、叩きや回転方式を採用したマッサージ方法がある。従来のマッサージ器は、一般に、マッサージ輪ユニットを直接に取り外すことができなく、開示番号ＣＮ２６５７６５８Ｙの中国特許には、電機と、電機と連動するギヤと、マッサージヘッド（前記マッサージ輪ユニットに相当する）とを備え、一端が前記マッサージヘッドに固定される連接棒をさらに備え、前記連接棒の他端の端面には、円環状に分布した傾斜キーが設置され、前記ギヤの端面には、前記傾斜キーに対して離合する傾斜溝が対応的に設けられ、前記連接棒の端面とギヤの端面との間には、クッションパッドが設置されている電動マッサージ器が開示されており、前記構造を採用した電動マッサージ器は、電機が正方向に回転する時に、連接棒とギヤとの間が、傾斜キーと傾斜溝との噛合によって、連接棒を駆動して回転させ、マッサージヘッドを回転させる目的を達成することになったが、そのマッサージヘッドを直接に取り外すことができないため、便利に清浄にすることができなく、マッサージクリームの使用を導入することも不可能であり、操作が不便であり、効果が単一である。
【考案の概要】
【考案が解決しようとする課題】
【０００３】
本考案は、従来の技術の不足点に対して、操作が便利であるだけではなく、そのマッサージ輪ユニットを便利に取り外して清浄にすることもでき、しかもマッサージ輪ユニットの回転時に皮膚を捻転させて、マッサージと痩身の効果を奏することができる改良済み電動マッサージ器を提供することを目的とする。
【課題を解決するための手段】
【０００４】
前記目的を実現するために、本考案は、ギヤボックスと、モータと、印刷回路基板とが設けられる収容室を形成する上カバーと、下カバーとを備え、モータは、ギヤボックスに接続される伝動ギヤを駆動し、印刷回路基板は、モータに電気的に接続され、前記上カバーと、下カバーとによって形成された収容室の下端には、マッサージ輪ユニットが設けられ、前記伝動ギヤには、下端がコネクタ構造である伝動軸が設けられ、マッサージ輪ユニットには、伝動軸の下端が嵌め込まれて接合している改良済み電動マッサージ器という技術方案を採用する。
【０００５】
前記マッサージ輪ユニットには、伝動軸の下端が嵌め込まれて接合しているマッサージ輪ブラケットが設けられている。
【０００６】
前記マッサージ輪ユニットは、少なくとも３セットのマッサージ輪モジュールを備え、各セットのマッサージ輪モジュールは、マッサージ輪ブラケット軸と、袋ナットと、少なくとも１つマッサージ輪とを備え、マッサージ輪内には、内輪が設けられ、マッサージ輪ブラケット軸は、内輪に挿入し、袋ナットねじ山は、マッサージ輪ブラケット軸の一端にロッキングされ、マッサージ輪ブラケット軸の他端は、マッサージ輪ブラケットに接続されている。
【０００７】
前記マッサージ輪が、ギヤ型、円柱型又は球型の形状である。
【０００８】
前記マッサージ輪の上には、凸粒が設けられている。
【０００９】
前記上カバーの前端には、印刷回路基板に電気的に接続されるスイッチボタンが設けられている。
【００１０】
上カバーの両側には、ハンドベルトが接続されたサイドカバーが設けられている。
【００１１】
本考案によれば、本考案に記載の改良済み電動マッサージ器は、その伝動ギヤには、下端がコネクタ構造である伝動軸が設けられ、マッサージ輪ユニットには、伝動軸の下端が嵌め込まれて接合しており、前記構造を採用した電動マッサージ器は、使用の時に、モータは、伝動ギヤを駆動して回転させ、伝動ギヤの伝動軸によってマッサージ輪ユニットを駆動して回転させ、マッサージ輪ユニットの回転時に、皮膚を捻転させて、マッサージと痩身の効果を奏することができ、操作が便利であり、しかも便利にマッサージ輪ユニットを伝動軸から取り外すことができ、マッサージ輪ユニットの清浄又は軟膏の塗布を便利にしたという有用な効果がある。
【図面の簡単な説明】
【００１２】
【図１】本考案の構造模式図である。
【図２】本考案においてマッサージ輪ユニットを取り外した構造模式図である。
【図３】本考案の分解模式図である。
【考案を実施するための形態】
【００１３】
以下、添付図面を参照しながら、本考案をさらに説明し、図１〜図３に示すように、ギヤボックス４と、モータ５と、印刷回路基板７とが設けられる収容室を形成するフロントカバー１と、バックカバー２と、下カバー３とを備え、モータ５は、ギヤボックス４に接続される伝動ギヤ４１を駆動し、印刷回路基板７は、モータ５に電気的に接続され、前記フロントカバー１と、バックカバー２と、下カバー３とによって形成された収容室の下端には、マッサージ輪ユニット６が設けられ、前記伝動ギヤ４１には、下端がコネクタ構造である伝動軸４１１が設けられ、マッサージ輪ユニット６には、伝動軸４１１の下端が嵌め込まれて接合している改良済み電動マッサージ器である。前記フロントカバー１には、印刷回路基板７に電気的に接続されるスイッチボタン１１が設けられている。使用の時に、モータ５は、伝動ギヤ４１を駆動して回転させ、伝動ギヤ４１の伝動軸４１１によってマッサージ輪ユニット６を駆動して回転させ、マッサージ輪ユニット６の回転時に皮膚を捻転させて、マッサージと痩身の効果を奏することができ、且つ操作が便利であり、さらに、便利にマッサージ輪ユニット６を伝動軸４１１から取り外して、マッサージ輪ユニット６の清浄又は軟膏の塗布を便利にした。
【００１４】
本実施例において、前記マッサージ輪ユニット６には、伝動軸４１１の下端が嵌め込まれて接合しているマッサージ輪ブラケット６２が設けられており、マッサージ輪ブラケット６２と伝動軸４１１との間は、「すきまばめ」することになり、両方を止め釘で固定してよい。
【００１５】
本実施例において、前記マッサージ輪ユニット６は、少なくとも３セットのマッサージ輪モジュールを備え、各セットのマッサージ輪モジュールは、マッサージ輪ブラケット軸６４と、袋ナット６５と、少なくとも１つマッサージ輪６１とを備え、マッサージ輪６１内には、内輪６３が設けられ、マッサージ輪ブラケット軸６４は、内輪６３に挿入し、袋ナット６５のネジ山は、マッサージ輪ブラケット軸６４の一端にンロッキングされ、マッサージ輪ブラケット軸６４の他端は、マッサージ輪ブラケット６２に接続されている。一般に、３セット又は４セットのマッサージ輪モジュールを設ければ、全方位的に皮膚に接触することができ、かつ均一的に力を受けることができ、より好ましいマッサージ效果を達成することができる。
【００１６】
前記マッサージ輪６１が、ギヤ型、円柱型又は球型の形状であり、前記マッサージ輪６１の上には、凸粒６１１が設けられている。以上の形状を採用したマッサージ輪６１を凸粒６１１にあいまって使用すると、接触の時に、より素敵なマッサージ作用を達成することができる。
【００１７】
フロントカバー１の両側には、サイドカバー１０が設けられており、操作が便利である。
【００１８】
本考案は、外部電源を使用でき、乾電池又は充電式電池を使用してもよく、操作上簡単且つ便利である。
【００１９】
上述したものは本考案の好ましい実施形態だけであり、本実用新案登録請求の範囲に記載の前記構造、特徴及び原理によって行った効果が同等な変更や修飾は、この実用新案登録請求の範囲に含まれる。
【符号の説明】
【００２０】
１  フロントカバー、２  バックカバー、３  下カバー、４  ギヤボックス、５  モータ、６  マッサージ輪ユニット、７  印刷回路基板、４１  伝動ギヤ、４１１  伝動軸、６１  マッサージ輪、６２  マッサージ輪ブラケット、６３  内輪、６４  マッサージ輪ブラケット軸、６５  袋ナット、６１１  凸粒
【図１】
0003171784.tif 000003
【図２】
0003171784.tif 000004
【図３】
0003171784.tif 000005